(57)【特許請求の範囲】
【請求項１】
断面コ字型の把持体の下部から下方に垂下した主柱の下部外周に三本以上のステーをほぼ水平に放射状に設け、前記主柱の下端を中心として、前記各ステーの外端を外周縁とするネットを張った高所作業用落下物捕集ネットであって、
前記主柱の上部外周に設けたねじ部を、前記把持体の下部の水平片を貫通するねじ孔に螺着し、当該ねじ孔から突出した主柱の上端に、当該上端面を中心に回転自在な押さえ板を設け、当該押さえ板は前記把持体の垂直片に当たって回転を阻止される構成とし、
前記ステーは、前記主柱の下部を中央孔に遊びをもって貫通させた支持体の外周に間隔をあけて各ステーの一端を垂直方向に回転自在に軸支し、各ステーはストッパーにより水平より下方への回転を阻止され、
前記ネットは、自体の中央孔に前記主柱の下部を挿入して係止し、外周縁を前記各ステーの外端に係止し、
前記主柱の下端には操作ノブを設けたことを特徴とする、高所作業用落下物捕集ネット。
【請求項２】
前記支持体の外周の相対向する箇所から上方に二本のガイド杆を突設し、各ガイド杆の先端は前記把持体の両側に設けた貫通孔に摺動自在に挿入したことを特徴とする、請求項１に記載の高所作業用落下物捕集ネット。
【請求項３】
前記各ガイド杆に雨切傘を設け、また、前記主柱の外周を被冠してその下端を前記支持体の中央孔の周縁に固定した鞘管を設け、この鞘管の外周に主柱雨切傘を設けたことを特徴とする、請求項２に記載の高所作業用落下物捕集ネット。
【請求項４】
前記各ステーは、前記支持体の外周に間隔を開けて設けた軸受けにピンにより軸支し、当該各軸受けの前記ピンより外方に設けたスプリングピンに各ステーの下縁が当たって、各ステーの先端が上方に上がって傾斜した状態を常時保持し、一定値以上の荷重が各ステーにかかると、前記スプリングピンが曲がって、ステーが水平となる構成としたことを特徴とする、請求項１、２又は３のいずれかに記載の高所作業用落下物捕集ネット。
【請求項５】
前記ネットは、各ステーの先端部から主柱に係止した箇所まで下方に膨らんだ袋状部を、各ステー毎に形成していることを特徴とする、請求項１、２、３又は４のいずれかに記載の高所作業用落下物捕集ネット。
【発明の詳細な説明】
【技術分野】
【０００１】
この発明は、高所作業車に乗っての架空電線上の作業や電柱周辺での柱上作業等の高所作業の際の電線の被覆等のくずや工具等の落下物を受けるネットであって、作業のポイント箇所に設置自在なポイント式の高所作業用落下物捕集ネットに関するものである。
【背景技術】
【０００２】
従来、前記高所作業において、絶縁操作棒を使用した間接活線工法において、絶縁操作棒の先端に工具や材料類を取り付ける、又は掴むため、様々な専用工具類を取り付けて使用する操作棒（単スティック）や、電線被覆剥ぎ取り作業やテープ巻き作業を行う回転式操作棒（ロータリースティック）を作業工程に応じて組み合わせて作業を行っている。そのため、作業中に工具や材料が外れて落下する懸念があり、落下物への安全対策が要求されている。
【０００３】
従来の落下物受けネットは、特許文献1に示すように、電柱の外周に取り付けて柱上での作業に対応しているが、ネットの大きさに限りがあり、電柱からやや外れた箇所での作業等、ネットの範囲よりも外側での作業には対応できない。
【０００４】
また、特許文献２に示すように、高所作業車に取り付けるバケット用ネットもあるが、高圧線の間接活線作業の作業位置において、バケット用ネットが低圧電線と干渉するため、ネットを大きく拡げることが出来ず、使用できない。これを小さく拡げると、絶縁操作棒の長さがあるため、作業箇所からバケットが離れ、作業の真下にネットが来ない。そこで、電柱から離れた高所作業の場合、実際の作業を行う作業員の他に、さおの先にネット網を設けたものを作業員が地上等から、作業箇所の真下にかざして、落下物に備えており、作業員の労力は多大なものであった。
【０００５】
【特許文献１】特開平７−６３９９号公報
【特許文献２】特開平７−６３９８号公報
【発明の開示】
【発明が解決しようとする課題】
【０００６】
この発明はこのような従来技術を考慮して為されたもので、高所作業箇所の真下に固定でき、作業の邪魔にならず、作業に応じて移動可能なポイント式の高所作業用落下物捕集ネットを提供し、上記課題を解決しようとするものである。
【課題を解決するための手段】
【０００７】
そこで、請求項１の発明は、断面コ字型の把持体の下部から下方に垂下した主柱の下部外周に三本以上のステーをほぼ水平に放射状に設け、前記主柱の下端を中心として、前記各ステーの外端を外周縁とするネットを張った高所作業用落下物捕集ネットであって、前記主柱の上部外周に設けたねじ部を、前記把持体の下部の水平片を貫通するねじ孔に螺着し、当該ねじ孔から突出した主柱の上端に、当該上端面を中心に回転自在な押さえ板を設け、当該押さえ板は前記把持体の垂直片に当たって回転を阻止される構成とし、前記ステーは、前記主柱の下部を中央孔に遊びをもって貫通させた支持体の外周に間隔をあけて各ステーの一端を垂直方向に回転自在に軸支し、各ステーはストッパーにより水平より下方への回転を阻止され、前記ネットは、自体の中央孔に前記主柱の下部を挿入して係止し、外周縁を前記各ステーの外端に係止し、前記主柱の下端には操作ノブを設けた、高所作業用落下物捕集ネットとした。
【０００８】
また、請求項２の発明は、請求項１の発明において、前記支持体の外周の相対向する箇所から上方に二本のガイド杆を突設し、各ガイド杆の先端は前記把持体の両側に設けた貫通孔に摺動自在に挿入した、高所作業用落下物捕集ネットとした。また、請求項３の発明は、請求項２の発明において、前記各ガイド杆に雨切傘を設け、また、前記主柱の外周を被冠してその下端を前記支持体の中央孔の周縁に固定した鞘管を設け、この鞘管の外周に主柱雨切傘を設けた、高所作業用落下物捕集ネットとした。
【０００９】
また、請求項４の発明は、請求項１、２又は３のいずれかの発明において、前記各ステーは、前記支持体の外周に間隔を開けて設けた軸受けにピンにより軸支し、当該各軸受けの前記ピンより外方に設けたスプリングピンに各ステーの下縁が当たって、各ステーの先端が上方に上がって傾斜した状態を常時保持し、一定値以上の荷重が各ステーにかかると、前記スプリングピンが曲がって、ステーが水平となる構成とした、高所作業用落下物捕集ネットとした。
【００１０】
請求項５の発明は、請求項１、２、３又は４のいずれかの発明において、前記ネットは、各ステーの先端部から主柱に係止した箇所まで下方に膨らんだ袋状部を、各ステー毎に形成している高所作業用落下物捕集ネットとした。
【発明の効果】
【００１２】
請求項１〜５の発明によれば、断面コ字型の把持体を上端に設けており、電線や腕金等、この把持体で挟持できる水平部材であれば何にでも設置することができる。そして、当該ネットは設置した真下にネットを拡げるため、作業箇所からの落下物を確実に捕集することができる。しかも、作業箇所が移れば、容易に設置箇所を変更することが出来る。従って、電線上での作業であれば、電線に沿って前記把持体を移動させればよい。また、電線上等に設置してネットを拡げることが邪魔な場合は、ステーが垂直方向に回転自在であるため、電線に前記把持体を把持したまま、ステー及びネットを主柱に沿ってすぼめてテープ等で束ねておくことができる。
【００１３】
上記効果の他に、請求項１の発明は、主柱の下端に操作ノブを設け、当該操作ノブを回転させれば、主柱が回転して、把持体の上部水平片と押さえ板とで電線や腕金等の水平部材を挟持することができ、それ故間接活線作業において絶縁操作棒で操作ノブを回して設置できる。勿論、作業員が当該操作ノブを手で回すこともできる。また、請求項２の発明によれば、ステーを支持する支持体から二本のガイド杆を突出させ、これらの各ガイド杆の上部を把持体で摺動自在に支持しているため、強風が吹いても支持体及びネットが回転せず、安定して落下物を捕集できる。
【００１４】
請求項３の発明によれば、各ガイド杆及び主柱に雨切傘及び主柱雨切傘を設けているため、これらの雨切傘及び主柱雨切傘で沿面が切れ、下方のネット等の絶縁が保たれ、雨天の作業においても高圧線の作業が出来る。
【００１５】
請求項４の発明によれば、各ステーは軸支点より外側の下縁をスプリングピンで支持されているため、各ステーの先端が常に上方に上がって傾斜した状態である。従って、落下物が当該ステーに当たった際、ネットの内側に跳ねて落下するため、落下物をネットで捕集し易い構成となっている。また、一定値以上の荷重が当該ステーにかかった場合は、水平となり、緩衝効果を付与しており、落下物が飛び跳ねるのを防止し、さらに確実にネットに捕集できる構成となっている。
【００１６】
また、請求項５の発明は、ネットが、各ステーの下方で袋状に膨らんだ構成としているため、落下物をネットの内側に抱き込むようになっており、落下物のネットへの捕集がより確実となる。
【発明を実施するための最良の形態】
【００１７】
この発明は、断面コ字型の把持体の下部から下方に垂下した主柱の下部外周に三本以上のステーをほぼ水平に放射状に設け、前記主柱の下端を中心として、前記各ステーの外端を外周縁とするネットを張った高所作業用落下物捕集ネットであって、前記把持体は、水平部材を開口部から内部に挿入して前記水平部材を挟持自在とし、前記各ステーは、その基部を前記主柱の下部外周に垂直方向に回転自在に支持した、高所作業用落下物捕集ネットであり、ネットが作業箇所の真下にくるように、作業のポイントごとに移動させて容易に取り付けることができる。
【実施例１】
【００１８】
以下、この発明の実施例を図に基づいて説明する。
図１はこの発明の正面図、図２はこの発明の側面図、図３はこの発明の平面図である。
断面コ字型の把持体１の下部から下方に垂下した主柱２の下部外周に四本のステー３をほぼ水平に放射状に設け、前記主柱２下端を中心として、前記各ステー３の外端を外周縁とするネット４を張ったものである。
【００１９】
前記主柱２の上部外周に設けたねじ部２ａを、前記把持体１の下部の水平片を貫通するねじ孔（図示省略）に螺着し、当該ねじ孔から突出した主柱２の上端に、当該上端面を中心に回転自在な押さえ板５を設け、当該押さえ板５は前記把持体１の垂直片に当たって回転を阻止される構成としている。従って、主柱２を回転させると、図４に示すように、把持体１内で押さえ板５が上昇し、電線や腕金等の水平部材を把持体１の上部水平片と押さえ板５とで把持できる。
【００２０】
図５及び図６は前記主柱の下部のステー支持箇所の拡大図を示し、図５は主柱の下部のステー支持部の拡大一部省略平面図、図６は主柱の下部のステー支持部の拡大一部縦断面図である。
前記主柱２の下部には前記ステー３を支持する支持体６が被冠されている。この支持体６は、中央孔６ａに前記主柱２の下部を、遊びをもって貫通させており、前記主柱２の下部に固定したフランジ７の上に載っている。また、このフランジ７の下の主柱２の下端に、絶縁操作棒を係止する操作ノブ８が設けられている。
【００２１】
前記各ステー３は、その一端を、前記支持体６の外周に間隔を開けて一体に設けた４つの軸受け９にピン９ａにより軸支さている。これらの各軸受け９は、図６に示す如く、底板９ｂを備え、前記ピン９ａによって一端を軸支された各ステー３はこの底板９ｂがストッパーとなって水平より下方に回転しない。また、前記軸受け９の上面は開口しているため、各ステー３を立ち上げることができる。従って、全てのステー３を立ち上げ、主柱２に沿ってネット４をすぼめることが出来、不要の際は、すぼめたネット４の外周にテープ等を巻いて束ねておくこともできる。
【００２２】
また、当該各軸受け９の、前記ピン９ａより外方にスプリングピン９ｃを設けている。これらの各スプリングピン９ｃに各ステー３の下縁が当たって、各ステー３は、自由端である先端が上方に上がって傾斜した状態を常時保持している。そして、一定値以上の荷重が各ステー３にかかると、前記スプリングピン９ｃが曲がって、ステー３が水平となる構成となっている。従って、その際各ステー３は緩衝効果を有し、落下物がむやみに跳ね上がったりせず、ネット３内に落下するようになっている。
【００２３】
また、前記支持体６の相対向する側面から上方に二本のガイド杆１０を突設し、各ガイド杆１０の先端は前記把持体１の両側に設けた突出片１１にそれぞれ穿った貫通孔１１ａに摺動自在に挿入されている。このように、二本のガイド杆１０が把持体１の両側に摺動自在に係止されているため、支持体６は回転しない。また、これらのガイド杆１０には雨切傘１２が設けられている。また、前記主柱２の下部を被冠した鞘管１３が前記支持体６の中央孔６ａの周縁から立設され、この鞘管１３に主柱雨切傘１４が設けられている。これらの雨切傘１２及び主柱雨切傘１４は同じ構造であり、夫々当該箇所で雨水を切り、これらの雨切傘１２及び主柱雨切傘１４以下の主柱２やガイド杆１０に雨水が流れないようになっており、ネット４の絶縁性が保てる。
【００２４】
また、前記ネット４は、上面が開口した略箱型のもので、上部周縁の四箇所で、前記各ステー３の自由端に係止され、ネット４の中央部に前記主柱２が貫通して、当該箇所でネット４は前記主柱２に係止されている。これにより前記ネット４は、各ステー３の先端部から主柱２箇所まで下方に膨らんだ袋状部を、各ステー３毎に形成している。
【００２５】
以上の構成から成る落下物捕集ネットＡは、図７に示すように、電柱Ｂから離れた電線Ｃ上の作業箇所Ｄで電線接続作業をする場合、当該作業箇所Ｄの脇の電線Ｃに、その把持体１を取付け、落下物捕集ネットＡを吊り下げれば、前記接続作業の接続体や工具又は電線被覆等のくずが落下しても、前記ネット３にそれらを捕集することができる。また、この作業が終わり、引き続き作業箇所Ｅで作業する場合、前記落下物捕集ネットＡの把持体１の電線Ｃへの把持を解き、これらを電線Ｃ上でずらして、作業箇所Ｄの脇に前記落下物捕集ネットＡを吊るし、作業をすることができる。
【００２６】
この様に、この発明の落下物捕集ネットは把持体を電線や腕金等の水平部材に容易に取り付け、また外して他の箇所に取り付けられるため、取り付け場所を選ばない。従って、作業の落下物の捕集箇所が拡がる。
【００２７】
なお、上記実施例では、把持体を水平部材に取り付けるのに、主柱２を回転させて押さえ板を上げ、把持体の上部水平片と押さえ板との間で把持する構成となっているが、これに限らず、断面コ字型の把持体の開口部から水平部材を挿入し、当該把持体で把持する構成であれば良い。
【図面の簡単な説明】
【００２８】
【図１】この発明の実施例１の正面図である。
【図２】この発明の実施例１の側面図である。
【図３】この発明の実施例1の平面図である。
【図４】この発明の実施例１の主柱を回転させて押さえ板を把持体内で上方に上げ状態を示す正面図ある。
【図５】この発明の実施例１の主柱下部のステー取付箇所の拡大一部省略平面図である。
【図６】この発明の実施例１の主柱下部のステー取付箇所の拡大一部省略縦断面図である。
【図７】この発明の実施例１の落下物捕集ネットの使用状態を示す正面図である。
【符号の説明】
【００２９】
１      把持体                      ２      主柱
２ａ    ねじ部                      ３      ステー
４      ネット                      ５      押さえ板
６      支持体                      ６ａ    中央孔
７      フランジ                    ８      操作ノブ
９      軸受け                      ９ａ    ピン
９ｂ    底板                        ９ｃ    スプリングピン
１０      ガイド杆                  １１      突出片
１１ａ    貫通孔                    １２      雨切傘
１３      鞘管                      １４      主柱雨切傘
Ａ      落下物捕集ネット            Ｂ      電柱
Ｃ      電線                        Ｄ      作業箇所
Ｅ      作業箇所
【図１】
0004511584.tif 000002
【図２】
0004511584.tif 000003
【図３】
0004511584.tif 000004
【図４】
0004511584.tif 000005
【図５】
0004511584.tif 000006
【図６】
0004511584.tif 000007
【図７】
0004511584.tif 000008